Podtech/llm-jp-corpus-v4-ja_patent huggingface dataset:
(57)【要約】      （修正有）【課題】化粧用ブラシの毛先が点あるいは線ではなく、面で当たり、きめ細かなパウダー状化粧品を塗布する化粧用ブラシを提供する。  【解決手段】柄２に、口金３を介して挟持・固定される毛先４からなる化粧用ブラシ１において、前記口金の毛先側の口端３ａは、扁平な環体に形成し、前記口金の前部、後部の口端は、それぞれ、舌片状の突出部３ｂを口金と一体に設け、前記口金の側面部の口端は、それぞれ、略Ｖ字状の切り欠き溝部３ｃ，３ｃ´を設け、前記毛先の後端部は、前記突出部と、前記略Ｖ字状の切り欠き溝部に挟持・固定されることにより扁平で、且つ略団扇状に形成された化粧用ブラシである。【選択図】図１
0003209926.tif 000002
【実用新案登録請求の範囲】
【請求項１】
柄（２）に、口金（３）を介して挟持・固定される毛先（４）からなる化粧用ブラシ（１）において、  
前記口金（３）の毛先（４）側の口端（３ａ）は、扁平な環体に形成し、
前記口金（３）の前部、後部の口端は、それぞれ、舌片状の突出部（３ｂ，３ｂ´）を口金と一体に設け、
前記口金（３）の側面部の口端は、それぞれ、略Ｖ字状の切り欠き溝部（３ｃ，３ｃ´）を設け、
前記毛先（４）の後端部は、前記突出部と、前記略Ｖ字状の切り欠き溝部に挟持・固定されることにより
扁平で、且つ略団扇状に形成された
ことを特徴とする化粧用ブラシ。
【請求項２】
前記毛先（４）が、扁平な団扇状であって、毛先（４）の前後両面が、それぞれ、長さの異なる毛（Ｘ）から構成されている
ことを特徴とする請求項１記載の化粧用ブラシ。
【請求項３】
前記毛先（４）を構成する長さの異なる毛（Ｘ）が、前部、後部のそれぞれ表面において、毛の短い毛を表面側に配置し、長い毛を順次、先端に向かって、長い毛を配置することにより、側面視で毛先（４）の先端部が厚み方向に拡がらないよう扁平に構成した
ことを特徴とする請求項１または２記載の化粧用ブラシ。
【考案の詳細な説明】
【技術分野】
【０００１】
この考案は、化粧用ブラシに関するものであり、さらに詳しくは、パウダー状化粧品を塗布する際に使用する化粧用ブラシである。
【背景技術】
【０００２】
従来、化粧用ブラシは、使用する顔面の箇所や使用する化粧品により、それに適した種々の化粧用ブラシが開発されている。例えば、特許文献１のように。
【先行技術文献】
【特許文献】
【０００３】
【特許文献１】特開２０１１−８７６７５号公報
【０００４】
しかし、近年、パウダーやファンデーション等の化粧品の目覚しい進化によって、これらの化粧品に適合する化粧用ブラシであっても必ずしも合うものはなかった。即ち、顔面等の皮膚に、点あるいは線で接触するブラシは存在しても、面で接触するブラシは存在しなかった。
【考案の概要】
【考案が解決しようとする課題】
【０００５】
そこで、この考案は化粧用ブラシの毛先が点あるいは線ではなく、面で当たり、きめ細かなパウダー状化粧品を塗布する化粧用ブラシを開発・提供する事にある。
【課題を解決するための手段】
【０００６】
この考案に係る化粧用ブラシは、
柄に、口金を介して挟持・固定される毛先からなる化粧用ブラシにおいて、  
前記口金の毛先側の口端は、扁平な環体に形成し、
前記口金の前部、後部の口端は、それぞれ、舌片状の突出部を口金と一体に設け、
前記口金の側面部の口端は、それぞれ、略Ｖ字状の切り欠き溝部を設け、
前記毛先の後端部は、前記突出部と、前記略Ｖ字状の切り欠き溝部に挟持・固定されることにより
扁平で、且つ略団扇状に形成された
ことを特徴とする。
【０００７】
そして、
前記毛先が、扁平な団扇状であって、毛先の前後両面が、それぞれ、長さの異なる毛から構成されている
ことを特徴とする。
【０００８】
さらに、
前記毛先を構成する長さの異なる毛が、前部、後部のそれぞれ表面において、毛の短い毛を表面側に配置し、長い毛を順次、先端に向かって、長い毛を配置することにより、側面視で毛先の先端部が厚み方向に拡がらないよう扁平に構成した
ことを特徴とする。
【考案の効果】
【０００９】
この考案によると、口金（３）の毛先側口端（３ａ）に形成した舌片状の突出部（３ｂ，３ｂ´）を設けることにより、口金の毛先（４）を形成する複数本の毛（Ｘ）との接触面積を拡大することにより、核毛を堅牢に固定出来、また、口金（３）の両側面に設けた略Ｖ字状の切り欠き溝部（３ｃ，３ｃ´）を設けることにより、毛先（４）の両端が略団扇状の毛先となり、口金の口端に形成した前記舌片状の突出部（３ｂ，３ｂ´）と、この略Ｖ字状の切り欠き溝部（３ｃ，３ｃ´）を設けることで、該毛先（４）を堅牢に挟持・固定できる。
【００１０】
また、毛先（４）の前後両面の毛（Ｘ）は、複数の長さの異なる毛を用いることにより、皮膚と略団扇状の面で接することとなり肌触りがよく、きめ細かいパウダーであっても塗布しやすい等の極めて有益なる効果を奏する。
【図面の簡単な説明】
【００１１】
【図１】この考案の一実施例を示す正面図である。
【図２】この考案の一実施例を示す側面図である。
【考案を実施するための形態】
【００１２】
以下、この考案の詳細について詳細に説明する。尚、この考案においては、以下の記述に限定されるものではなく、この考案の要旨を逸脱しない範囲においては適宜変更可能である。
【実施例】
【００１３】
そこで、この考案の一実施例を図１〜図２に基づいて詳述すると、柄（２）に、口金（３）を介して挟持・固定される毛先（４）からなる化粧用ブラシ（１）において、前記口金（３）の毛先（４）側の口端（３ａ）は、扁平な環体に形成し、前記口金（３）の前部、後部の口端は、それぞれ、舌片状の突出部（３ｂ，３ｂ´）を口金と一体に設け、前記口金（３）の側面部の口端は、それぞれ、略Ｖ字状の切り欠き溝部（３ｃ，３ｃ´）を設け、前記毛先（４）の後端部は、前記突出部と、前記略Ｖ字状の切り欠き溝部に挟持・固定されることにより扁平で、且つ略団扇状に形成されたことを特徴とする化粧用ブラシから構成されるものである。
【００１４】
そして、前記毛先（４）が、扁平な団扇状であって、毛先（４）の前後両面が、それぞれ、長さの異なる毛（Ｘ）から構成されていることを特徴とする化粧用ブラシである。
【００１５】
さらに、前記毛先（４）を構成する長さの異なる毛（Ｘ）が、前部、後部のそれぞれ表面において、毛の短い毛を表面側に配置し、長い毛を順次、先端に向かって、長い毛を配置することにより、側面視で毛先（４）の先端部が厚み方向に拡がらないよう扁平に構成したことを特徴とする化粧用ブラシである。
【００１６】
また、前記口金（３）の柄（２）側の口端は、柄の断面形状に適合する形状であり、２箇所をカシメ堅牢に固定されたものである。
【産業上の利用可能性】
【００１７】
この考案の化粧用ブラシの技術を確立し、実施することにより、産業上利用できるものである。
【符号の説明】
【００１８】
１  化粧用ブラシ
２  柄
３  口金
３ａ  口端
３ｂ，３ｂ´突出部
３ｃ，３ｃ´切り欠き溝部
４  毛先
Ｘ  毛
【図１】
0003209926.tif 000003
【図２】
0003209926.tif 000004
(57)【要約】      （修正有）【課題】室内何処でも小型魚及び観葉植物の観賞を同時に楽しむことができ、癒し効果が大きく、インテリア性の高い観賞魚水槽を有するハイドロカルチャーを提供する。【解決手段】ガラス製で底部を少し絞った円筒形の観賞魚水槽１０と、その上部に位置する、樹脂製で底部に複数の孔を有する５号サイズのハイドロカルチャー用鉢２０の間に、樹脂製で空気取入れ孔を有するかさ上げリング３０を設け一体化し、さらに、観賞魚水槽１０の中に、下方にエアストーン４０を有する通気管４１を、ハイドロカルチャー用鉢２０の底部を貫通して設け、水中からエアレーションを行うようにする。【選択図】図１
0003209992.tif 000002
【実用新案登録請求の範囲】
【請求項１】
底部を少し絞った円筒形の観賞魚水槽１０と、該上部に位置する、樹脂製で底部に複数の孔を有するハイドロカルチャー用鉢２０の間に、樹脂製で空気取入れ孔３１を有するかさ上げリング３０を設け一体化したことを特徴とする観賞魚水槽を有するハイドロカルチャー。
【請求項２】
前記観賞魚水槽１０の中に、下方にエアストーン４０を有する通気管４１を、前記ハイドロカルチャー用鉢２０の底部を貫通し設け、水中からエアレーションを行なうようにしたことを特徴とする請求項１記載の観賞魚水槽を有するハイドロカルチャー。
【考案の詳細な説明】
【技術分野】
【０００１】  本考案は、室内何処でも小型魚及び観葉植物の観賞を同時に楽しむことができ、且つ、癒し効果が大きく、さらに、インテリア性の高い観賞魚水槽を有するハイドロカルチャーに関する。【０００２】  ハイドロカルチャーとは、土の代わりに粘土を高温で発砲させたハイドロボール等を使用した水耕栽培。
【背景技術】
【０００３】  従来の観賞魚水槽を有するハイドロカルチャーの多くは、水槽上部に開口を有する蓋を設け、該開口部にハイドロカルチャー用鉢を落とし込む形で構成されている。【０００４】  しかしながら、従来の観賞魚水槽を有するハイドロカルチャーの多くは、水槽が重く置き場所が限られてしまう上に水槽の掃除も面倒であり、また、全体的にインテリア性に欠けるものであった。
【先行技術文献】
【特許文献】
【０００５】
【特許文献１】特開２００６−２７１３５５
【実案文献】
【０００６】
【実案文献１】
登録実用新案第３０８２１５４号
【考案の概要】
【考案が解決しようとする課題】
【０００７】  本考案は、以上のような従来の欠点を鑑み、安全に持ち運びができることで置き場所を選ばず、且つ、水槽の掃除をしやすくし、さらに、インテリア性の高い観賞魚水槽を有するハイドロカルチャーを提供する事を目的としている。
【課題を解決するための手段】
【０００８】  上記目的を達成するために本考案は、ガラス製で底部を少し絞った円筒形の観賞魚水槽１０と、該上部に位置する、樹脂製で底部に複数の孔を有する５号サイズのハイドロカルチャー用鉢２０の間に、樹脂製で空気取入れ孔を有するかさ上げリング３０を設け一体化し、さらに、前記観賞魚水槽の中に下方にエアストーン４０を有する通気管４１を、前記ハイドロカルチャー用鉢２０の底部を貫通し設け、水中からエアレーションを行うようにする。
【考案の効果】
【０００９】  以上の説明から明らかなように、本考案にあっては次に列挙する効果がえられる。
（１）請求項１の構成効果は、かさ上げリングの高さの分だけ水槽の高さを低くでき、水槽の掃除がしやすくなる。かさ上げリングに空気取入れ孔を設けたことによって、水槽とかさ上げリングの重ね部に隙間を設ける必要がなく、美観を損なわない。ハイドロカルチャー用鉢の色と、かさ上げリングの色を変えることによって、見栄えを良くしインテリア性を高めることができる。かさ上げリング正面にロゴマーク等を描き入れ、よりインテリア性を高めることができる。
（２）請求項２の構成効果は、水中からエアレーションを行なうことによって、魚及び植物の根が活性化され、且つ、癒し効果も得られる。
【図面の簡単な説明】
【００１０】
【図１】本考案の実施の形態を示す全体の斜視図である。
【図２】図１のセットアップの仕方を示す図である。
【図３】エアストーントと通気管の接続を示す図である。
【考案を実施するための形態】
【００１１】  以下、本考案の実施の形態を図に基づいて説明する。
【実施例】
【００１２】  図１は、本考案、観賞魚水槽を有するハイドロカルチャーの実施の形態を示す全体の斜視図であって、ガラス製で底部を少し絞った円筒形の観賞魚水槽１０と、該上部に位置する、樹脂製で底部に複数の孔を有する５号サイズのハイドロカルチャー用鉢２０の間に、樹脂製で空気取入れ孔を有するかさ上げリング３０を設け一体化し、さらに、下方にエアストーン４０を有する通気管４１を、前記ハイドロカルチャー用鉢２０の底部を貫通し設け、前記観賞魚水槽１０の水中からエアレーションを行なうようにしたことを示している。【００１３】  また、前記ハイドロカルチャー用鉢２０はオレンジ系のスケルトンタイプとし、前記かさ上げリング３０はブルー系とした。【００１４】  また、魚の餌のやり方は、片手でハイドロカルチャー用鉢２０とかさ上げリング３０を一緒に持ち上げ横に少しずらし、該間から小さなスプーンで入れる。【００１５】  また、本考案、観賞魚水槽を有するハイドロカルチャーで約１０年間、様々の魚と観葉植物の飼育、栽培を行なったが、その中では、観賞魚ゴールデンアカヒレと観葉植物サンスベリアとの組み合せが、癒し効果及びインテリア性を高めるのにより効果的である。【００１６】  また、空気取入れ孔を有するかさ上げリング３０下方に、該かさ上げリングと同サイズで透明のかさ上げリングを設け、該かさ上げリングを脱着させることによって、植物に水をやる、やらないを簡単に行なうことができる。
【産業上の利用可能性】
【００１７】  本考案、観賞魚水槽を有するハイドロカルチャーは、清潔感が有り、且つ、安全に持ち運びができ、さらに、インテリア性に優れているため様々な施設等に置くことができる。
【符号の説明】
【００１８】１０・・・・観賞魚水槽
２０・・・・ハイドロカルチャー用鉢
３０・・・・かさ上げリング
３１・・・・空気取入れ孔
４０・・・・エアストーン
４１・・・・通気管（５φｓｕｓパイプ）
４２・・・・接続チューブ
１１・・・・魚
２１・・・・観葉植物
２２・・・・ハイドロコーン
１２・・・・砂利
【図１】
0003209992.tif 000003
【図２】
0003209992.tif 000004
【図３】
0003209992.tif 000005
(57)【要約】      （修正有）【課題】靴磨きシートと、衣類の塵、ほこり取りシートを合体する事で携帯に便利で、また広告等を印刷する事で販促品としても利用出来る身だしなみ用具を提供する。【解決手段】袋状になった靴磨きシートＡの裏側の面に衣類用塵、ほこり取り用粘着シートＣを３枚重ね貼りした。剥がし易いように粘着シートＣを縦方向に４〜５ミリメートルずらし目印Ｆとして番号を付けた。一番表の粘着シートには使用時以外に他の物にくっ付かないように保護用樹脂フイルムＢを付けた。また靴磨きシートＡ側にフック等に掛けられる穴Ｄを設けた。ポケットテッシュの約２倍強の面積を有しており、保護用樹脂フイルムＢに広告等を印刷する。【選択図】図１
0003209991.tif 000002
【実用新案登録請求の範囲】
【請求項１】
靴磨きシートとその靴磨きシートの磨き面の裏側に衣類の塵，ほこり取り用粘着シートを貼り付けた身だしなみ用具。
【請求項２】
塵、ほこり取り用粘着シートを複数枚貼り付けた請求項１記載の身だしなみ用具。
【請求項３】
複数枚貼り付けた塵、ほこり取り用粘着シートに１枚ずつ目印を付けた請求項１記載の身だしなみ用具。
【考案の詳細な説明】
【技術分野】
【０００１】  ホテル等に供えられた靴磨きシートと衣服用塵、ほこり取りブラシに代わるみだしなみ用具に関するものである。
【背景技術】
【０００２】  従来品で袋状の靴磨きシートと通称コロコロと呼ばれる粘着シートを筒状に重ね合わせた商品がある。
【先行技術文献】
【特許文献】
【０００３】
【特許文献１】特開２００２−１５９４３２
【特許文献２】実開昭６１−１４３５６９
【考案の概要】
【考案が解決しようとする課題】  従来、靴磨きシートと塵、ほこり取りシートは別々に販売されており塵、ほこり取りシートは筒状に重ね合わせた商品はかさばり、携帯に便利とは言えない状況である。また衣類用塵、ほこり取りブラシも同様にかさばるものである。
また、ホテル等に有る塵、ほこり取りブラシでは良く取れないことがある。
【課題を解決するための手段】  この靴磨きシートと衣類用塵、ほこり取りシートの機能を合わせ、携帯に便利でまた、使い捨ても出来る身だしなみ用具を提供する。
【考案の効果】  従来品を別々に持ち歩くよりも携帯に便利である。
また、粘着シートを複数枚重ねる事でスーツやドレス等全体の手入れが出来るものである。
保護用シートに広告等を印刷する事で販促品としても利用出来るものでる。
【図面の簡単な説明】
【図１】  本考案の塵、ほこり取りシートを３枚重ねた場合の身だしなみ用具の説明図。
【図２】  図１のａ−−ａ断面図で示す説明図。
【図３】  図１の裏面で靴磨き面を示す説明図。
【実施例】  袋状になった靴磨きシートＡの裏側の面に衣類用塵、ほこり取り用粘着シートＣを３枚重ね貼りした。剥がし易いように粘着シートＣを縦方向に４〜５ミリメートルずらし目印Ｆとして番号を付けた。一番表の粘着シートには使用時以外に他の物にくっ付かないように保護用樹脂フイルムＢを付けた。
また靴磨きシートＡ側にフック等に掛けられる穴Ｄを設けた。
ポケットテッシュの約２倍強の面積を想定しており、保護用樹脂フイルムＢに広告等を印刷すると広告面も広く成る。
かさばらず携帯に便利である。
【産業上の利用可能性】  ホテル、旅館等に備えると便利である。
旅行や出張時の携帯に便利である。
広告入りポケットテッシュに代わる販促品としても利用出来る。
【符号の説明】Ａ  袋状の靴磨きシート本体
Ｂ  保護用樹脂フイルム（広告等を印刷出来る面）
Ｃ  粘着シート（複数枚）
Ｄ  ぶら下げ用の穴
Ｅ  手を入れる部分
Ｆ  目印
【図１】
0003209991.tif 000003
【図２】
0003209991.tif 000004
【図３】
0003209991.tif 000005
(57)【要約】【課題】寝返りのし易いシーツ１２を提供する。【解決手段】寝床１４を覆うための敷布１６を設ける。この敷布１６上に、寝床１４の幅の９０％以下で５０％以上の幅の滑布１８を配置する。滑布１８は，枕を置くスペースを空けて寝床１４に固定される。滑布１８の生地は、敷布１６の生地よりも繊維が太く剛性の高いものが好ましい。シーツ１２上で寝返りをし易くすることで、長年の腰痛の悩みを解決できる。また、腰痛患者や高齢者には、ストレッチ等による治療が苦痛である。これが不要になる。さらに、滑布１８のサイズを制限することにり、滑りすぎることで布団から体が滑り出たり、掛け布団が散乱することも防止できる。【選択図】図１
0003209909.tif 000002
【実用新案登録請求の範囲】
【請求項１】
以下の構成要素を含む寝返りの容易なシーツ。
（１）寝床を覆うための敷布を有する。
（２）敷布中に、寝床の幅の９０％以下で５０％以上の幅の滑布を配置する。
（３）滑布は，枕を置くスペースを空けて寝床上に配置されるサイズを有する。
【請求項２】
滑布の生地は、敷布の生地よりも繊維が太く剛性の高いものとしたことを特徴とする請求項１に記載の寝返りの容易なシーツ。
【考案の詳細な説明】
【技術分野】
【０００１】
本考案は、就寝中に寝返りの容易なシーツに関する。
【背景技術】
【０００２】
就寝中に寝返りをすることが腰痛の防止に繋がるといわれている。そのための寝具が各種開発されている（特許文献２、３）また、介護用のベッド等で、自動的に寝返りをうつ装置が知られている（特許文献１）。
【先行技術文献】
【特許文献】
【０００３】
【特許文献１】特開２００７−１２５３４４
【特許文献２】特開２００５−８７２３９
【特許文献３】特開２００２−３５４３１５
【考案の概要】
【考案が解決しようとする課題】
【０００４】
既知の従来の技術には、次のような解決すべき課題があった。熟睡中でも寝返りの要求はある。しかし、体と敷布団との摩擦や毛布等の密着性により、寝返りには体力が必要である。筋力の弱体化と共に寝返りの回数が減少し、不自然な筋肉の緊張を招き、腰痛発生の原因を作っていたと考えられる。ところが、単に滑りのよいシーツを使用すると、滑りすぎることで布団から体が飛び出したり、掛け布団が散乱し、かえって寝心地が悪くなる。上記の課題を解決するために、本考案は次のような寝返りの容易なシーツを提供することを目的とする。
【課題を解決するための手段】
【０００５】
以下の構成はそれぞれ上記の課題を解決するための手段である。
【０００６】
＜構成１＞
以下の構成要素を含む寝返りの容易なシーツ。
（１）寝床を覆うための敷布を有する。
（２）敷布中に、寝床の幅の９０％以下で５０％以上の幅の滑布を配置する。
（３）滑布は，枕を置くスペースを空けて寝床上に配置されるサイズを有する。
【０００７】
＜構成２＞
滑布の生地は、敷布の生地よりも繊維が太く剛性の高いものとしたことを特徴とする構成１に記載の寝返りの容易なシーツ。
【考案の効果】
【０００８】
寝返りをし易くすることで、本考案者は実際に長年の腰痛の悩みを解決できた。
腰痛患者や高齢者には、ストレッチ等による治療が苦痛である。これが不要になった。
さらに、滑りすぎることで布団から体が飛び出したり、掛け布団が散乱することも防止できた。
【図面の簡単な説明】
【０００９】
【図１】本考案のシーツ１２の説明図である。
【図２】（ａ）はシーツ１２を寝床１４に装着した状態の斜視図、（ｂ）はベッドにシーツ１２をを装着した状態の斜視図である。
【考案を実施するための形態】
【００１０】
以下、本考案の実施の形態を実施例毎に詳細に説明する。
【実施例１】
【００１１】
図１は本考案のシーツ１２の説明図である。図の上方にはシーツ１２を広げた状態の斜視図、下方には寝床１４の斜視図を示した。
【００１２】
本考案のシーツ１２は、寝床１４（この実施例では布団）を覆うための敷布１６を設け、その中に、滑布１８を配置したものである。滑布１８は、夜着に対して敷布１６よりも滑りの良い生地の布を使用する。敷布１６の素材は一般には木綿のように柔らかい繊維である。滑布１８の生地は、ポリエステル繊維などの敷布１６の生地よりも繊維が太く剛性の高いものが好ましい。
【００１３】
シーツ１２は、滑布１８を敷布１６の上に重ねて縫い合わせて制作してもよいし、滑布１８の周囲に敷布１６を継ぎ足すように縫い合わせて制作しても良い。
【００１４】
シーツ１２を使用するときは、通常どおり、敷布１６の周辺部分を寝床１４に巻き付けるようにする。この場合に、滑布１８の横幅Ｗと寝床１４の横幅Ｆとを比較したとき、滑布１８の横幅Ｗは、寝床１４の横幅Ｆの９０％以下で５０％以上であることが好ましい。
【００１５】
滑布１８の上に寝ると滑りやすく、寝返りが容易に打てる。ところが、寝床１４の全面を滑布１８で覆うと、寝返りしたときに滑りすぎて寝床１４の外に体が飛び出すことがある。しかも、図示しない掛け布団も乱れやすくなる。従って、滑布１８の横幅Ｗは、寝床１４の横幅Ｆの９０％以下で、両横に敷布１６の部分が現れているようにするとよい。
【００１６】
一方、滑布１８の幅があまり狭いと寝床１４を有効に利用できない。従って、滑布１８の幅Ｗは寝床１４の横幅Ｆの５０％以上であることが好ましい。
【００１７】
さらに、枕は寝床１４上で移動しては困る。従って、滑布１８は，枕を置くスペースＭを空けて寝床１４に固定されるように縦方向のサイズが設定されていることが好ましい。
【００１８】
図２（ａ）はシーツ１２を寝床１４に装着した状態の斜視図、（ｂ）はベッドにシーツ１２をを装着した状態の斜視図である。
【００１９】
図２（ａ）に示すように、寝床１４を敷布１６で被った状態で、滑布１８はその左右と枕２０を置くスペースを残してほぼ中央に位置している。これにより、滑布１８の上で容易に快適に寝返りを打つことができる。しかも、寝床１４の外に滑り出ることがなく、掛け布団もその周囲が敷布１６に接するから乱れにくい。
【００２０】
図２（ｂ）に示すように、この場合でも、滑布１８の両横に敷布１６の領域が存在するので、寝返りする範囲が制限されてベッドから落ちることがない。
【００２１】
なお、（ａ）の例でも（ｂ）の例でも、枕２０を安定に置くスペースが確保されている。こうして、本考案のシーツ１２によれば、寝床で快適に寝返りを打つことが可能になり、腰痛等の予防や軽減に活用することができる。
【符号の説明】
【００２２】
１２  シーツ
１４  寝床
１６  敷布
１８  滑布
２０  枕
【図１】
0003209909.tif 000003
【図２】
0003209909.tif 000004
(57)【要約】      （修正有）【課題】大地震、大災害時等に避難所で簡単に炊き出しができる炊き出しセットを提供する。【解決手段】煮炊き出来るコンロ、薪、軍手、羽釜、なべ、水タンク、水洗いボール、フードコンテナ、サランラップ（登録商標）、スポンジたわし、布きん、まな板、キッチンバサミ、包丁、紙どんぶり、ポリ汁わん、紙食器、紙コップ、キッチンペーパー、塩、しゃもじ、はし、ごみ袋を組み合わせて梱包する。【選択図】図１
0003209957.tif 000002
【実用新案登録請求の範囲】
【請求項１】
大地震、大災害時等で避難所で簡単に炊き出しができる調理器具、食器等をコンパクトにまとめた「炊き出し＆おにぎりセット」。
【考案の詳細な説明】
【技術分野】
【０００１】羽釜、なべ、煮炊き出来るコンロ、薪、水タンク、その他食器等３０点を組み合わせて構成する。
【背景技術】
【０００２】アルフアー米等の少量の防災備蓄用品は存在していた。
このアルフアー米等の少量の防災備蓄用品は大人数の炊き出しには間にあわない。
【考案の開示】
【考案が解決しようとする課題】
【０００３】羽釜、なべ、煮炊き出来るコンロ、薪、水タンク、その他食器等３０点を組み合わせて構成し避難所等で簡単に素早くしかも大人数の炊き出しが出来る様にした。【０００４】セットを開梱するとすぐに炊き出しが上下出来るようにした。【０００５】誰でもが簡単に炊き出しが出来なければならない。
【課題を解決するための手段】
【０００６】羽釜、なべ、煮炊き出来るコンロ、薪、水タンク、その他食器等３０点を組み合わて構成し避難所等で簡単に素早くしかも大人数の炊き出しが出来る様にしたセットである。
【考案の効果】
【０００７】本考案は羽釜、なべ、煮炊き出来るコンロ、薪、水タンク、その他食器等３０点を組み合わせ構成し避難所等で簡単に素早くしかも大人数の炊き出しが出来る様にした。【０００８】  セット内の煮炊き出来るコンロは煮炊きはもちろん寒い時期などでは暖を取る為のストーブとしても活用できる。
【考案を実施するための最良の形態】
【０００９】羽釜、なべ、煮炊き出来るコンロ、薪、水タンク、その他食器等３０点を組み合わて構成し避難所等で簡単に素早くしかも大人数の炊き出しが出来る様にしたセットである。
【実施例】
【００１０】  本考案は羽釜、なべ、煮炊き出来るコンロ、薪、水タンク、その他食器等３０点を組み合わせ構成し避難所等で簡単に素早くしかも大人数の炊き出しが出来る様にした。
【図面の簡単な説明】
【００１１】
【図１】本考案の煮炊き出来るコンロ本体観斜視図である
【図２】本考案の羽釜を含める主な調理器具の観斜視図である。
【図３】本考案の食器類の観斜視図である。
【符号の説明】
【００１２】１  煮炊き出来るコンロ本体
２  薪
３  薪くべ口
４  通風穴
５  手提げつる
６  軍手
７  羽釜かけ口
８  羽釜
９  なべ
１０  水タンク
１１  水洗いボール
１２  フードコンテナ
１３  サランラップ
１４  スポンジたわし
１５  布きん
１６  まな板
１７  キッチンバサミ
１８  包丁
１９  紙どんぶり
２０  ポリ汁わん
２１  紙食器
２２  紙コップ
２３  キッチンペーパー
２４  塩
２５  しゃもじ
２６  はし
２７  ごみ袋
【図１】
0003209957.tif 000003
【図２】
0003209957.tif 000004
【図３】
0003209957.tif 000005
【手続補正書】
【提出日】平成29年2月2日(2017.2.2)
【手続補正１】
【補正対象書類名】実用新案登録請求の範囲
【補正対象項目名】全文
【補正方法】変更
【補正の内容】
【実用新案登録請求の範囲】
【請求項１】
大地震、大災害時等で避難所で簡単に且つ手早く炊き出しが出来る様に、煮炊き出来るコンロ、薪、軍手、羽釜、なべ、水タンク、水洗いボール、フードコンテナ、サランラップ、スポンジたわし、布きん、まな板、キッチンバサミ、包丁、紙どんぶり、ポリ汁わん、紙食器、紙コップ、キッチンペーパー、塩、しゃもじ、はし、ごみ袋を組み合わせて梱包した炊き出しセット。
(57)【要約】      （修正有）【課題】天地、左右、上下を制御する事が可能なファイルを提供する。【解決手段】上辺に折り筋を介してポケットＡ、Ｂが設けられ、左辺に折り筋を介して差し込みイ、Ｓ、Ｔが設けられた左側シートと、下辺に折り筋を介してポケットＣ、Ｄが設けられ、右辺に折り筋を介して差し込みロ、Ｗ、Ｒが設けられた右側シートとを有し、左右のシートは折り筋を介して連結され、左側シートの上部と左部、および右側シートの下部と右部で書類やカードを保持するファイルである。【選択図】図２
0003209956.tif 000002
【実用新案登録請求の範囲】
【請求項１】
天地、左右、上下、を制御したファイル、天地はポケットの大は地を小は天、上下はシートの上下で、左右は左の差し込みと右の差し込みを中心にして谷折りし、左を決め差し込みを左と右をそれぞれの受け部に差し込み、天地、左右、上下、を制御したファイル。
【考案の詳細な説明】
【技術分野】
【００１】文房具に類するものです。
【背景技術】
【００２】  ファイルにポケットを付けたりしてファイルに機能を付加したりして用途に応じていろいろなファイルが製作されています。
【考案の概要】
【考案が解決しようとする課題】
【００３】  ファイルにホルダー機能を増やしファイルに入れた書類やカードを落ちにくくする事。
【課題を解決するための手段】
【００４】天地左右上下を制御出来れば、ファイルに入れた書類やカードが落ちにくく成りますので、地はポケットを付け天は部分的なポケットを付け天地を制御します、左と右に差し込みを付け左右を制御します、上下はシート状なのでシートで上下を制御することにより、書類やカードを落ちにくくすることが可能になります。
【考案の効果】
【００５】折るだけで文具を作ることが可能なので和紙を素材として使えば１００年経ても使用出来る文具を目指す事ができます。
【図面の簡単な説明】
【００６】
【図１】  本考案の展開図です。
【図２】  本考案の折り方の主要な図です。
【図３】  本考案の完成図です。
【符号の説明】
【００７】Ａ，        ポケット大
Ｂ，        ポケット小
Ｃ，        ポケット大
Ｄ，        ポケット小
Ｓ，        解放差し込み
Ｔ，        閉鎖差し込み
Ｒ，        閉鎖差し込み
Ｗ，        解放差し込み
イ、          差し込み
ロ、          差し込み
ハ、          シート上
ニ、          シート下
１、          折り筋
２、          折り筋
３、          折り筋
４、          折り筋
５、          折り筋
６、          折り筋
７、          折り筋
８、          折り筋
９、          折り筋
【図１】
0003209956.tif 000003
【図２】
0003209956.tif 000004
【図３】
0003209956.tif 000005
【手続補正書】
【提出日】平成28年12月1日(2016.12.1)
【手続補正１】
【補正対象書類名】実用新案登録請求の範囲
【補正対象項目名】全文
【補正方法】変更
【補正の内容】
【実用新案登録請求の範囲】
【請求項１】
左右両端の差し込み、図示するとイとロ、を谷折してからＡ、Ｂ、Ｃ、Ｄ、を谷折に依ってポケットを作ります、差し込みイのＴ部分はポケットＡに依って差し込み機能がおさえられＳ部分は差し込み機能を発揮します、差し込みロのＲ部分はポケットＣに依って差し込み機能がおさえられ、Ｗ部分は差し込み機能を発揮します、［図１］の２含む筋を谷折してポケットＡの差し込み側端部を受け部にしてＷ部分を差し込めるようにし、ポケットＣの差し込み側端部はＳ部分を差し込めるようにしたファイル。
【手続補正書】
【提出日】平成29年1月26日(2017.1.26)
【手続補正１】
【補正対象書類名】実用新案登録請求の範囲
【補正対象項目名】全文
【補正方法】変更
【補正の内容】
【実用新案登録請求の範囲】
【請求項１】
上辺に折り筋を介してポケットが設けられ、左辺に折り筋を介して差し込みが設けられた左側シートと、下辺に折り筋を介してポケットが設けられ、右辺に折り筋を介して差し込みが設けられた右側シートとを有し、左右のシートは折り筋を介して連結され、左側シートの上部と左部、および右側シートの下部と右部で書類やカードを保持するファイル。
(57)【要約】【課題】伝言メモの受け手がすぐにその存在に気づき且つ楽しい気持ちになれるような伝言メモであって、送る側にとってもメッセージが記入しやすく且つ簡単にキャラクターの立体形状に仕上げることができる伝言メモ用紙を提供する。【解決手段】本考案による折り紙式伝言メモは、用紙の表面（１）にキャラクター図柄（２）と折り線（３）と折り順を示す数字（４）と宛名を記入する枠（５）が印刷されている。そしてその反対側にあたる裏面（６）には、伝言メモを書きやすいように罫線（７）が印刷されている。使用者は折る前にこの罫線に沿って伝言メモを書いておく。伝言メモを書き終えた後に、折り線（３）を順番通りに折っていけば、簡単に立体的なキャラクター形状の折り紙を作ることができる。【選択図】図１
0003209986.tif 000002
【実用新案登録請求の範囲】
【請求項１】
一葉の折り紙において、出来上がり状態で正面となる側に図柄や複数の折り線が印刷されており、反対の面には伝言メモを記入するための罫線が印刷されていることを特徴とする折り紙式の伝言メモ用紙
【請求項２】
前記図柄がキャラクターの顔であることを特徴とする請求項１記載の伝言メモ用紙
【請求項３】
前記の複数の折り線には、それぞれ折る順番に対応した数字が付されていることを特徴とする請求項１または請求項２記載の伝言メモ用紙
【請求項４】
前記図柄が印刷される面に伝言の宛名を記入するための枠を設けたことを特徴とする請求項１〜３の何れか一項に記載の伝言メモ用紙
【考案の詳細な説明】
【技術分野】
【０００１】
本考案は、折り紙形態の伝言メモ用紙に関するものであり、詳しくは方形の折り紙の表面に完成時のキャラクター等が印刷されており、その裏面には伝言メモを記入するための罫線等が描かれている伝言メモ用紙に関する。
【背景技術】
【０００２】
事務所内や家庭などで使用される伝言メモには、メモ帳タイプや付箋紙タイプのものが多く、メモ欄などに罫線が付された一葉の用紙に伝言メッセージを記して相手に渡すものが一般的である。そして特開平１０−６６６１にあるように、キャラクターを模して親しみやすくしたものや、実用新案登録第３１５０９２７号のように立体形状として目立ちやすくしてその内側にメッセージ欄を設けたものなどがあった。また、折り紙に関するものでは特開２００８−１１００６９で開示されているようにキャラクター図柄や折り線などがその表面にあらかじめ印刷されているものがあった。
【先行技術文献】
【特許文献】
【０００３】
【特許文献１】特開平１０−６６６１
【特許文献２】実用新案登録第３１５０９２７号
【特許文献３】特開２００８−１１００６９
【考案の概要】
【考案が解決しようとする課題】
【０００４】
前記特許文献１に開示される伝言メモはそれが伝言メモとして使用される時点では立体形状ではないので目立ちにくく、また前記特許文献２に開示されるものは視認性は高くなるが生産時に切り込みなどの加工を施す必要があるので高価なものとなる。また前記特許文献３に開示される折り紙にはキャラクター等の情報があらかじめ印刷されているがメモ欄もなく相手方にもメッセージ付きであるということが伝わらないという問題があった。
【０００５】
本考案が解決しようとする課題は、伝言メモとして使用した時に、立体形状となるキャラクターを形成することで伝言相手の視認性を高め且つ心理的にも親しみを与える効果を持ち、読み手がその立体形状を平面に展開して読むときには伝言メモとしての機能を有する伝言メモ用紙を提供することである。
【課題を解決するための手段】
【０００６】
上記の課題を解決するために、一葉の用紙の表面にキャラクターなどの図柄と折り線等の情報が印刷されていて、そして裏面には伝言メモを記入する枠線が印刷されている折り紙式伝言メモ用紙を考案した。
【考案の効果】
【０００７】
メッセージを記した一葉の伝言メモ用紙を使って、キャラクターを模した立体形状の折り紙を誰でも簡単に作ることができる。
【図面の簡単な説明】
【０００８】
【図１】折り紙式伝言メモ用紙の表面と裏面
【図２】折り方
【図３】折り紙の完成形状
【図４】製品形態
【考案を実施するための形態】
【０００９】
方形の用紙の表側の面にキャラクターの顔と折り線が印刷されていて、その折り線に沿って折っていくとキャラクターの顔が立体形状となって完成する。当該用紙のもう一方の面には伝言メモを記入する罫線が印刷されていて、折る前にあらかじめメッセージが書けるようになっている。
【実施例】
【００１０】
以下、請求項１乃至４記載の折り紙式伝言メモ用紙の構成について、図１、図２、図３、および図４を用いて説明する。
【００１１】
本考案の折り紙式伝言メモ用紙は図１にあるように、用紙の表面（１）にキャラクター図柄（２）と折り線（３）と折り順を示す数字（４）と宛名を記入する枠（５）が印刷されている。そしてその反対側にあたる裏面（６）には、伝言メモを書きやすいように罫線（７）が印刷されている。使用者は折る前にこの罫線に沿って伝言の内容を記入する。
【００１２】
伝言メモを書き終えた後に、使用者は図２にあるように、折り線（３）を折り順（４）に従って折っていき、折り紙を完成させる。
【００１３】
図３のように、完成した折り紙はその正面（８）にキャラクター図柄が、そして背面（９）には宛名（５）が出てくる構成となっている。
【００１４】
本考案の伝言メモ用紙を製品として使用者に配荷する場合は、図４にあるように、表紙（１０）と厚手の台紙（１１）の間に当該伝言メモ用紙を複数枚重ねて挟み込み（１２）、それを透明のＰＰ袋等（１３）に封入するような形態となる。
【産業上の利用可能性】
【００１５】
最近はゆるキャラブームで、民間企業はもちろん市区町村の自治体でもオリジナルのキャラクターを活用して広報や宣伝活動を行っている。その際に当該キャラクターを活かしたノベルティグッズを配布することがよくある。本考案による折り紙式伝言メモは、提供される荷姿が配布や郵送がし易い紙葉形状なので、ノベルティとして配布したり、ダイレクトメールに同封したり、あるいは雑誌や書籍の綴じ込み付録として利用される可能性が高い。また原材料も紙だけなので安価に提供でき、しかも環境にも優しいものである。
【符号の説明】
【００１６】
１    折り紙式伝言メモ用紙の表面
２        キャラクター図柄
３        折り線
４        折り順を示した数字
５        宛名の記入枠
６        折り紙式伝言メモ用紙の裏面
７        罫線
８        折り紙の完成時の正面
９        折り紙の完成時の背面
１０    配布物の表紙
１１    配布物の台紙
１２    複数枚を重ねた折り紙式伝言メモ用紙
１３    封入する透明袋
【図１】
0003209986.tif 000003
【図２】
0003209986.tif 000004
【図３】
0003209986.tif 000005
【図４】
0003209986.tif 000006
(57)【要約】【課題】機能性材料のエネルギーが微弱であっても人体の要所に密接かつ不動に作用させられるような使用感の良い機能性シールを提供する。【解決手段】人体に対し好作用を及ぼす機能性材料の微粒子１を高強度かつ極薄のシール基材２の片面に全面付着させるとともにその上を粘着剤３で覆い、さらにその上を剥離性保護シート４で覆って、本考案の機能性シールとする。また人体に対し好作用を及ぼす機能性材料の微粒子１を混在させた粘着剤３を高強度かつ極薄のシール基材２の片面に全面付着させ、その上を剥離性保護シート４で覆ってもよい。【選択図】図２
0003209990.tif 000002
【実用新案登録請求の範囲】
【請求項１】
人体に対し好作用を及ぼす機能性材料の微粒子を高強度かつ極薄のシール基材の片面に全面付着させるとともにその上を粘着剤で覆い、さらにその上を剥離性保護シートで覆って成ることを特徴とする機能性シール。
【請求項２】
人体に対し好作用を及ぼす機能性材料の微粒子を混在させた粘着剤を高強度かつ極薄のシール基材の片面に全面付着させ、その上を剥離性保護シートで覆って成ることを特徴とする機能性シール。
【考案の詳細な説明】
【技術分野】
【０００１】この考案は、人体にスポット的に貼着して有用な機能を付与させる機能性シールに関する。
【背景技術】
【０００２】人体に対し有用な作用を与えるとされる機能性材料は各種知られている。例えば一般的に遠赤外線材料と言われているような、あるテラヘルツ領域の遠赤外線を選択的に輻射または反射する鉱物、ホルミシス材料と言われる微量放射性物質、トルマリンのような極性結晶体、磁性体、或いは空気に触れると熱を発生する材料等であるが、これらは明らかに快適感を伴う癒し効果や健康促進効果などが報告されているため、これを塗料化して布地等に塗布し、例えば下着、寝具、サポーター等として使用できるものも既に実現している。
【考案の開示】
【考案が解決しようとする課題】
【０００３】上記のような機能性塗材を布地に積層したものは、様々な身回り品に適用できるものの、ともすれば布地のもつ特有の感触や使用感を損なう憂いがあり、また機能性材料のエネルギーが微弱なときは、肌との間に多少の隔たりがあるため、その作用も甚だ微弱に止まることになり、とりわけ経絡のような重要スポットに選択的に当てがうことは、事実上不可能であった。本考案はかかる問題点を解決することを課題とする。
【課題を解決するための手段】
【０００４】人体に対し好作用を及ぼす機能性材料の微粒子１を高強度かつ極薄のシール基材２の片面に全面付着させるとともにその上を粘着剤３で覆い、さらにその上を剥離性保護シート４で覆って、本考案の機能性シールとする。【０００５】或いは、人体に対し好作用を及ぼす機能性材料の微粒子１を混在させた粘着剤３を高強度かつ極薄のシール基材２の片面に全面付着させ、その上を剥離性保護シート４で覆ってもよい。【０００６】ここで言う機能性材料の微粒子１とは、前記の各種鉱物等を肉眼で粒子が識別できない程度に細かく粉末化したものである。但し鉱物に限定するものではない。【０００７】従って本考案における機能性材料の微粒子１付き粘着剤３を積層したシール基材２の厚みは、一般的に使われている剥離性保護シート４の厚みよりむしろ薄めとなるが、今日ではそのように薄くても十分な強度と耐久性を有する同基材は供給可能状となっている。【０００８】これを例えば各辺１〜２ｃｍ程度の略正方形、円形、楕円形、或いは瓢箪形など、任意の形状に打抜き成型したものを、図３のように所定の剥離性保護シート４に複数個貼着して製品化する。【０００９】使用する際には、そのシール基材２を剥離性保護シート４から剥がして、身体の所望する箇所、例えば経絡（つぼ）などに貼着する。
【作用及び効果】
【００１０】本考案の機能性シールは、経絡などにスポット的に貼着するものであり、また機能性材料のエネルギーが微弱であっても対象部位との間に隙間間隔が無いから、より効果的に作用する。またその際に鍼灸や在来の貼着型鍼灸グッズのような点状に物理的刺激を与えるものではなく、貼着面全体が面状の刺激スポットとなるため、刺激が集中的でありながらマイルドであって局所的過剰刺激を起こしにくく、また立体部分や余分な絆創膏部分を有しないから、使用時にかさ張らなくて違和感がなく、はなはだ剥離逸脱しにくいものとなる。よって人体に対する機能性材料を適宜選択することにより、甚だ手軽に健康や体調改善等に役立てることができる。
【考案を実施するための最良の形態】
【００１１】約５０μｍ厚のシール基材２の片面に粒径約５μｍのテラヘルス領域遠赤外線放射性鉱物粉末（機能性材料の微粒子１）を混在させた粘着剤３を約５０μｍ厚に塗布積層し、これを一辺が１５ｍｍで角部を丸めた略正方形の切れ目状刳り貫きを縦３列、横５列に設けて剥離性保護シート４に貼着後、非刳り貫き部を剥離除去してこれを一製品単位とする。【００１２】このシールを一個ずつ剥がし、身近な身体の痛みや不調に対してアプローチするにあたり、特に経絡や経穴に沿って貼付することにより筋膜に対してのアプローチが出来、運動器と言われる筋、関節、骨、靭帯の痛み、痺れは勿論、経絡の気の流れを良くし、内蔵に対してのアプローチ、すなわち内科的な不調改善につながるような実施例も得ることができた。つまり人間が持っている自然治癒力を高める作用・効果があったものと考えられるが、その使用感は至って手軽で、使用中に違和感を感じることがなく、激しい動きによっても剥離するようなことはなかった。なお本考案はかかる例に限定されるものではない。
【産業上の利用可能性】
【００１３】本考案には十分なニーズがあるとともに作用がマイルドで使用感が良く、人畜無害であり、形状安定化や量産にも適しているから、産業上の利用可能性は十分にある。
【図面の簡単な説明】
【００１４】
【図１】本考案一例の拡大断面図
【図２】本考案別例の拡大断面図
【図３】本考案一例の平面図
【符号の説明】
【００１５】１……機能性材料の微粒子
２……シール基材
３……粘着剤
４……剥離性保護シート
【図１】
0003209990.tif 000003
【図２】
0003209990.tif 000004
【図３】
0003209990.tif 000005
(57)【要約】      （修正有）【課題】脱落防止機能を備えた伝送コネクタ構造を提供する。【解決手段】伝送コネクタ構造は、第１伝送コネクタ本体からなり、第１伝送コネクタ本体は、筐体１１と筐体１１内に設けられた伝送部品１２とを備え、筐体１１の頂面及び底面には、少なくとも一つの第１係止部１１１と少なくとも一つの第２係止部１１２がそれぞれ設けられる。第１伝送コネクタ本体と第２伝送コネクタ２０を結合する時、第２係止部１１２が押し上げることによって、第１係止部１１１と第２伝送コネクタ２０がはめ込み結合される。【選択図】図５
0003209980.tif 000002
【実用新案登録請求の範囲】
【請求項１】
脱落防止機能を備えた伝送コネクタ構造であって、
前記伝送コネクタ構造は、第１伝送コネクタ本体からなり、第１伝送コネクタ本体は、筐体と前記筐体内に設けられる伝送部品とを備え、前記筐体の頂面及び底面には、少なくとも一つの第１係止部と少なくとも一つの第２係止部がそれぞれ設けられ、
それによって、前記第１伝送コネクタ本体と第２伝送コネクタを結合する時、前記第２係止部が押し上げることによって、前記第１係止部と前記第２伝送コネクタがはめ込み結合されることを特徴とする、脱落防止機能を備えた伝送コネクタ構造。
【請求項２】
そのうち、前記第２係止部は、前低後高の傾斜状であることを特徴とする、請求項１に記載の脱落防止機能を備えた伝送コネクタ構造。
【請求項３】
そのうち、前記第２係止部は、ハ−ト型、丸型、四角形、長方形、または様々な形状のうち任意の一種であることを特徴とする、請求項２に記載の脱落防止機能を備えた伝送コネクタ構造。
【請求項４】
そのうち、前記第２係止部の外側には、掘り込み部が設けられることを特徴とする、請求項３に記載の脱落防止機能を備えた伝送コネクタ構造。
【考案の詳細な説明】
【技術分野】
【０００１】
本考案は、伝送コネクタに関し、特に、系止性を向上させた脱落防止機能を備えた伝送コネクタの構造に関する。
【背景技術】
【０００２】
科学技術の進歩に伴い、電子情報間の連結は発展し、ユニバーサルシリアルバス（ＵＳＢ）やエイチ−ディー−エム−アイ（ＨＤＭＩ（登録商標））等の伝送コネクタを含む様々な規格の伝送コネクタが開発されているが、現在どの規格の伝送コネクタも、ほとんど雄雌接続方式で設置されており、従来の伝送コネクタは、伝送コネクタが抜けやすいために、雄雌コネクタの接続後に接触不良の状態になる欠点があり、従来の伝送コネクタには改善が必要とされる。
【０００３】
上述の欠点をいかにして排除するかが、まさに本考案の考案者が解決したい技術的な難点であった。本考案の考案者は、関連業界に従事した長年の経験をもとに、長年にわたって研究に専念し、試作の改良を重ねた結果、ついに本考案の研究開発に成功し、従来技術より効果の高い本考案を誕生させることができた。
【考案の概要】
【考案が解決しようとする課題】
【０００４】
上述の欠点に鑑みて、脱落防止機能を備えた伝送コネクタの構造を備える本考案は、第１伝送コネクタ本体からなり、前記第１伝送コネクタ本体は、筐体と前記筐体内に設けられる伝送部品とを備え、前記筐体の頂面及び底面には、少なくとも一つの第１係止部と少なくとも一つの第２係止部がそれぞれ設けられることによって、前記第１伝送コネクタ本体と第２伝送コネクタを結合する時、前記第２係止部が押し上げることによって、前記第１係止部と前記第２伝送コネクタが係止される。
【０００５】
本考案は、主に、伝送コネクタ接続時の密着度を向上させ、伝送コネクタを抜けにくくし、安定した情報送信を維持できるようにすることを目的とする。
【図面の簡単な説明】
【０００６】
【図１】本考案の外観を示した斜視図である。
【図２】本考案を別の角度から見た場合の外観を示した斜視図である。
【図３】本考案を左側から見た図である。
【図４】本考案を後ろから見た図である。
【図５】本考案の使用状態の断面図である。
【図６】本考案の別の実施例を示した図である。
【考案を実施するための形態】
【０００７】
図１を参照する。本考案による脱落防止機能を備えた伝送コネクタ構造は、第１伝送コネクタ本体１０からなり、その構造は以下の通りである。
【０００８】
図１から図４を参照する。第１伝送コネクタ本体１０は、筐体１１と筐体１１内に設けられる伝送部品１２とを備え、筐体１１の頂面及び底面には、少なくとも一つの第１係止部１１１と少なくとも一つの第２係止部１１２がそれぞれ設けられ、第２係止部１１２は、前低後高の傾斜状であり、第２係止部１１２は、ハ−ト型、丸型、四角形、長方形、または様々な形状のうち任意の一種であり、本考案の図中では、ハート形のみを表示する。
【０００９】
図５を参照する。第１伝送コネクタ本体１０は、第２伝送コネクタ２０と対応して結合し、第２伝送コネクタ２０の頂面には、少なくとも一つの第３係止部２１が設けられ、第２係止部１１２が、前低後高の傾斜状であることによって、第２係止部１１は第２伝送コネクタ２０内に入れやすくなると共に、第２係止部１１２と第２伝送コネクタ２０内部の底面を押し上げる力によって、第１伝送コネクタ本体１０の第１係止部１１１と第２伝送コネクタ２０の第３係止部２１は対応してはめ込み結合され、それによって、緊密性と安定性が向上し、第１伝送コネクタ本体１０が抜けにくくなる。
【００１０】
図６を参照する。本考案の別の実施例であり、第２係止部１１２の周囲には、掘り込み部が設けられ、第２係止部の一端だけが筐体１１に連結されることで、第２係止部は弾性を備え、それによって、使用時に第２係止部１１２は、外向きに突出した弾力構造を備え、はめ込み時の緊密度を向上させることができる。
【符号の説明】
【００１１】
１０    第１伝送コネクタ本体
１１    筐体
１１１  第１係止部
１１２  第２係止部
１２    伝送部品
２０    第２伝送コネクタ
２１    第３係止部
【図１】
0003209980.tif 000003
【図２】
0003209980.tif 000004
【図３】
0003209980.tif 000005
【図４】
0003209980.tif 000006
【図５】
0003209980.tif 000007
【図６】
0003209980.tif 000008
【手続補正書】
【提出日】平成29年2月20日(2017.2.20)
【手続補正１】
【補正対象書類名】実用新案登録請求の範囲
【補正対象項目名】請求項３
【補正方法】変更
【補正の内容】
【請求項３】
そのうち、前記第２係止部は、ハ−ト型、丸型、四角形、長方形のうち任意の一種であることを特徴とする、請求項２に記載の脱落防止機能を備えた伝送コネクタ構造。